(57)【特許請求の範囲】
【請求項１】
一側上下に軸支部材が備えられ木製板材で枠組みされた側枠（１）と、
遊技盤（５）を収納する遊技盤収容面（２２０）が裏面側に設けられ、前記軸支部材に開閉自由に軸支される前面枠体（２）と、
前記前面枠体（２）の前面上部に開閉可能に設けられ、前記遊技盤収容面（２２０）に収容された遊技盤（５）の遊技領域（５１）を囲いうる遊技開口（３１）が形成されると共に背面のガラス板収容枠取付け部に金属製ガラス板収容枠（４）が装着された合成樹脂製の前面板（３）と、
前記前面板（３）の前面下部に開閉自由に設けられ、上皿（８）が固定された上皿取付け用第一前板（７）と、
前記前面枠体（２）を構成する主枠体（２０）の下方であって前記上皿取付け用第一前板（７）裏面側に設けられた板状部（２５）と、
前記板状部（２５）に設けられた打球発射レール（２３３）と、
前記前面枠体に設けられた賞球排出口（２３８）と、
を備えたパチンコ機において、
前記板状部（２５）に、前記前面枠体（２）と前記上皿取付け用第一前板（７）の裏面との間に落ち込んだ遊技球が嵌まり込むのを防止する球嵌まり込み防止縁（２３５ａ）を有する球嵌まり込み防止板（２３５）を備え、
前記球嵌まり込み防止縁（２３５ａ）は前記打球発射レール（２３３）と同一平面を形成し、前記球嵌まり込み防止板（２３５）にはファール球回収孔（２３７）を前記打球発射レールの先端縁とともに形成する回収縁（２３５ｂ）を備えると共に、前記回収縁（２３５ｂ）より賞球排出口（２３８）の下側端に臨んで前記球嵌まり込み防止縁（２３５ａ）が前記打球発射レール側に向けて延出して形成されていることを特徴とするパチンコ機。
【発明の詳細な説明】
【０００１】
【発明の属する技術分野】
この発明は遊技盤を取着する合成樹脂製前面枠体を改良したパチンコ機に関する。
【０００２】
【従来の技術】
従来のパチンコ機は、側枠（木枠）と、該側枠に対して開閉自在であり、かつ、遊技盤を固定する木製前面枠体と、該前面枠体の四角形の開口周縁に固定される金枠に開閉自在に設けられ、かつ、前記遊技盤の前方を覆うガラス板を保持するガラス枠等から構成され、木製前面枠体の四角形状の開口部の開口周縁の背面側に合成樹脂製遊技盤収容部が装着され、その遊技盤収容部に四角形状の遊技盤を装着して固定手段で止めるようにした構造が一般的である。
【０００３】
しかし、近年、遊技盤を遊技者の興趣を起こさせるよう装飾化を図るために、前面枠体と、その前面の透明板保持枠を合成樹脂製とし、その透明板保持枠に前面装飾体を設け、その前面装飾体に電気的装飾部材を配置してガラス枠の機能を持ちつつ、装飾性の向上を図ったものが提案されている（特開平７−２１３７２２号参照）。
【０００４】
【発明が解決しようとする課題】
しかしながら、従来のパチンコ機においては、前面枠体の下方であって前記上皿取付け用第一前板裏面側に設けられた板状部に、前面枠体と上皿取付け用第一前板の間に落ち込んだ遊技球が嵌まり込むのを防止する手段は特に設けられていなかった。
【０００５】
【課題を解決するための手段】
この発明の請求項１のパチンコ機は、一側上下に軸支部材が備えられ木製板材で枠組みされた側枠１と、
遊技盤５を収納する遊技盤収容面２２０が裏面側に設けられ、前記軸支部材に開閉自由に軸支される前面枠体２と、
前記前面枠体２の前面上部に開閉可能に設けられ、前記遊技盤収容面２２０に収容された遊技盤５の遊技領域５１を囲いうる遊技開口３１が形成されると共に背面のガラス板収容枠取付け部に金属製ガラス板収容枠４が装着された合成樹脂製の前面板３と、
前記前面板３の前面下部に開閉自由に設けられ、上皿８が固定された上皿取付け用第一前板７と、
前記前面枠体２を構成する主枠体２０の下方であって前記上皿取付け用第一前板７裏面側に設けられた板状部２５と、
前記板状部２５に設けられた打球発射レール２３３と、
前記前面枠体に設けられた賞球排出口２３８と、
を備えたパチンコ機において、
前記板状部２５に、前記前面枠体２と前記上皿取付け用第一前板７の裏面との間に落ち込んだ遊技球が嵌まり込むのを防止する球嵌まり込み防止縁２３５ａを有する球嵌まり込み防止板２３５を備え、
前記球嵌まり込み防止縁２３５ａは前記打球発射レール２３３と同一平面を形成し、前記球嵌まり込み防止板２３５にはファール球回収孔２３７を前記打球発射レールの先端縁とともに形成する回収縁２３５ｂを備えると共に、前記回収縁２３５ｂより賞球排出口２３８の下側端に臨んで前記球嵌まり込み防止縁２３５ａが前記打球発射レール側に向けて延出して形成されていることを特徴とするものである。
【０００６】
【発明の実施形態】
この発明の実施形態を図面に基づいて説明する。図１はパチンコ機の正面図、図２は同縦断面図、図３は側枠に備えた前面枠体の前面側の斜視図、図４は前面枠体の背面側斜視図、図５は側枠に前面枠体を装着した状態の背面側斜視図、図６は前面枠体の正面図、図７は同背面図、図８はホルダー等器具を取外した正面図、図９は同じく基板等を取外した背面図、図１０は図６のＡ−Ａ断面図、図１１はホルダーを分離して示すＡ−Ａ断面図、図１２はホルダーと表示体を示す断面図、図１３は図６のＢ−Ｂ断面図、図１４は図６のＣ−Ｃ断面図、図１５は図６のＤ−Ｄ断面図、図１６は遊技盤の斜視図、図１７は同背面図、図１８は前面枠体に遊技盤を装着した状態の背面図、図１９は前面板の正面図、図２０は同背面図、図２１はガラス板収容枠の斜視図、図２２はガラス板収容枠を前面板の背面に取付けた状態の斜視図、図２３はガラス板収容枠の背面図、図２４は前面枠体に機構基板を取付けた状態の背面図、図２５は機構基板の正面図、図２６は同平面図、図２７は同側面図である。
【０００７】
パチンコ機の全体構造
図１および図２において、パチンコ機は側枠（木枠）１と、該側枠１の一側に開閉自在に軸支されかつ合成樹脂製前面枠体２と、該前面枠体の前面上部には遊技盤５の遊技領域を囲いうる遊技開口が形成され、遊技面の外周に沿って前面装飾部が設けられ、背面のガラス板収容枠取付け部に金属製ガラス板収容枠４が装着された前面板３と、その前面下部に開閉自由に設けられかつ上皿８が固着される上皿取付け用第一前板７と、該取付け板の下方の前面枠体２に下皿９が固定される下皿取付け用第二前板１０、操作ハンドル１２等から構成されている。又、前記前面枠体２は遊技盤５の遊技領域に相当する面積を規制する開口が設けられ、その開口に沿う周囲は隠蔽部とし、その背面に遊技盤５が当てられてレールで囲われる遊技領域を開口内に位置させ、その遊技盤５の背面に機構基板６が開閉係脱可能に設けられる。また、機構基板６とは、賞球を貯留誘導制御し、セーフ球を導出し、アウト球を排出し、球タンクやタンクレ−ル、払出し装置や回路基板が装着され、前面枠体２に開閉係脱され遊技盤を前面枠体２に収納した状態で閉鎖固着されるものを指す。
【０００８】
側枠
側枠１は木製板材で枠組みし、その一側上下に軸支部材１１が備えられ、合成樹脂製前面枠体２が開閉自由に軸支される。この側枠１の開放側の内側上下に鍵装置と係脱して前面枠体２を開閉するための係止金具が取付けられている。木製側枠１は合成樹脂で成形された前面板３および前面枠体２より側端を若干巾広に構成して、合成樹脂で形成された前面板、前面枠の物理的損傷から防護するように構成されて、パチンコ機の保管、輸送取扱時に、木製部位を主体として取扱い、樹脂前面板部、前面枠体が損傷することを防護することを可能とする。
【０００９】
前面枠体
図１乃至図９、図１８に基づいて、この発明の要部である前面枠体２を説明する。前面枠体２は合成樹脂によって一体成形されるもので、その上部に遊技盤の遊技領域を規制する円形渦巻き状の誘導レールの外周面に合致する円形の開口２１を有する主枠体２０と、主枠体２０の前面側の上部の表示体収容部に装着する表  体発光部ホルダー８１と、球誘導レールカバー体２６と、発射レールユニット収容部２３１と、賞球ユニット収容部２３４と、球嵌まり込み防止縁２３５ａを有する球嵌まり込み防止板２３５と、その裏面側の遊技盤収容面２２０、配線スペース２２３、鍵装置収容部２４１等から構成されている。
【００１０】
前面枠体２は前面板より巾広に形成され、合成樹脂で形成され傷に弱い装飾面が前面板が間接的にも前面枠体で保護される。主枠体２０の前面側には周囲に若干巾狭の前面板３が合致する周壁２０１が形成され、その枠体２０の上部に遊技盤５の遊技領域５１を形成する円形渦巻き状の誘導レール５０の外周面に合致するほぼ円形の遊技面収容開口２１が形成され、その周囲に遊技盤周辺の非遊技面５１ａを包み隠すとともに遊技盤領域外の表示部を兼ねる遊技盤面部分隠蔽部２２が形成され、かつ該遊技盤面部分隠蔽部２２には、その上部に表示手段の表示体発光部ホルダー８１が装着された表示体収容部２３と、その表示体収容部とは距離間隔を存して側方に別の表示体８７が装着される表示体収容部２４と、前記開口２１の下方には遊技盤５に設けられた球誘導レール５０の側端部を覆接する球誘導レールカバー体２６と、下部に第一前板７、第二前板１０が装着され、かつ発射レールユニット収容部２３１と、賞球ユニット収容部２３４が形成され、球嵌まり込み防止縁２３５ａを有する球嵌まり込み防止板２３５を取付ける取付け部等が設けられた板状部２５とが構成されている。
【００１１】
前面枠体２の主枠体２０に設けられる遊技領域を規制する開口２１は遊技盤５の円形渦巻き状の誘導レール５０の遊技領域に相当する円形状とし、ほぼ四角形の木製遊技盤５が前面枠体２の背面側の遊技盤収容面２２０内に嵌合され、遊技盤５の遊技領域を決める誘導レール５０が円形の開口２１内に嵌合され、遊技盤５は背面において係脱手段で止められる。遊技盤周辺の非遊技面を包み隠す遊技盤面部分隠蔽部２２は、ガラス面上と遊技盤面上との間に、遊技盤面部分隠蔽部２２を段違い状に形成することにより、針金等の遊技盤面の遊技領域への侵入を防ぎ不正防止機能を発揮させるとともに、遊技盤面と遊技盤面部分隠蔽部２２でパチンコ機前面側に従来構成では得られなかった新たな趣向感が出現されている。球誘導レールカバー体２６は合成樹脂製前面枠体２に一体成形して、パチンコ球のガラス面への衝突衝撃を特別な保護部材をパチンコ機のガラス面に対して取付けることなく前面枠体において防護することを可能としてある。また、球誘導レール５０がガラス面に接触してこれを破損し損傷することから防護している。
【００１２】
前面枠体２の主枠体２０の前面構造は、上部に前面板３の装飾部材を照明表示する表示手段が設けられている。この表示手段として実施形態では、背面側に設けられた表示体８０の発光部を内部に収容する表示体発光部ホルダー８１が設けられ、従来機種でパチンコ枠体と遊技盤の上隅に設けられていた表示部を前面枠体に一括収容し、従来パチンコ機本体枠と遊技盤とでそれぞれ表示部及び装飾部を組付けていた不具合を解消し、個別の組立作業とそれに使用する部品点数の減少が図られている。
【００１３】
前記前面枠体２の主枠体２０の前面上部には、前記前面板３の装飾レンズ体７０と中央の装飾レンズ板７１の後部に複数の表示体８０が列設された表示体発光部ホルダー８１を収容する凹状の表示体収容部２３と、側方部に前記表示体とは所定の距離間隔を隔てて遊技盤角部に対応して位置し、別の表示体を収容する凹状表示体収容部２４とが形成され、それぞれの表示情報伝達効果、装飾効果を互いに干渉し誤認し合わない構成で配置されている。
【００１４】
図３、図６、図７、図１０乃至図１５において、合成樹脂製表示体発光部ホルダー８１は、前記前面板３の装飾レンズ体７０と中央の装飾レンズ板７１を後部から照明しうるように、前面を開口した横長形状とし、ランプの頭部を誘入しその頭部背面にバックライト面が形成できる領域を凹設し、光の乱反射効果を増大可能とした凹状器体で、内部が複数個の仕切壁８２で区画形成され、凹状器体の各区画の後壁８３には、表示体８０、例えば、ランプが誘入される透孔８４が設けられ、そのホルダーの後壁８３の背面側周囲に鍔部８９が形成され、基板収容空間９０が構成され、該基板収容空間９０において後壁８３に表示体８０、すなわちランプが備えられた基板８５が装着され、基板８５の表示体８０が前記透孔８４を通じて各区画に挿入されて構成され、該ホルダー８１の凹状器体を位置決めして嵌合しうる表示体収容部２３に嵌合され凹状器体の後壁８３を前面枠体２の主枠体２０の上部に凹設した表示体収容部２３に嵌合して電気表示基板取付け部２２１に取付けビス９１でビス止めされている。表示体発光部ホルダー８１の両端の区画の表示体８０は前面板３の装飾レンズ体７０用であり、中間の区画の表示体８０は同じく装飾レンズ板７１用である。この構成とすることにより、複数個の表示体８０それぞれの表示効果を各別に発揮させるとともに各表示体の発光点を保護することができる。又、前面枠体２の主枠体２０の両側方部に設けた表示体収容部２４には別の表示体８７を位置させ、その表示効果を発揮させる。９２は配線引き出し孔で、表示体発光部収容ホルダー８１内の基板８５より取り出された配線を前面枠体裏面に設けられる回路基板中継基板に導出されている。
【００１５】
表示体８０、８７は複数の表示ランプ、ＬＥＤで、故障発生時、前面枠体等不正開放時、磁石不正使用時等の不正発生時、入賞時、始動入賞時、入賞装置内の特定領域にパチンコ球が落入した時、特別な権利がパチンコ機において発生した時、特別な表示態様が作動した時、図柄表示装置が作動した時、図柄表示装置において特別な表示体用が形成された時、特別な記憶状態ガ所定の記憶値に到達した時、賞球切れが発生した時、パチンコ機内において賞球、若しくは貸出し球が充満した時等に、各別に、又は同時に、或いは交互に点灯駆動する構成としてある。また複数の表示ランプの発光色を異ならせ、若しくは切換えて点灯駆動する構成としてもよい。
【００１６】
図６において、前記表示体ホルダー８１に備える表示体８０および表示体収容部２４に備える別の表示体８７を詳細に説明する。先ず表示体ホルダー８１の複数の表示体８０である８０ａ、８０ｂ，８０ｃ，８０ｄ，８０ｅ，８０ｆ，８０ｇ，８０ｈ，８０ｉについて説明する。８０ａは異常表示体で、当該パチンコ機に異常が発生した場合に点灯する。８０ｂは始動表示体で、図柄表示装置や入賞装置が始動状態にされた場合に点灯表示する。８０ｃは当たり表示体で、図柄表示装置において当たり表示が成立した場合に当たりを表示する。８０ｄは特定領域通過時表示体で、遊技盤面上の特定領域をパチンコ球が通過した場合に点灯する。８０ｅは可変動作表示体で、可動可変入賞装置が作動状態となった時点灯する。８０ｆは満たん表示体で、満たん検出スイッチの作動時に点灯する。８０ｇは変動動作終了予告表示体で、可動可変入賞装置における変動動作が終了する予告をする。８０ｈはリーチ時表示体で、当たりが成立しやすい図柄表示装置の変動状態時、リーチ発生時に点灯する。８０ｉは打球表示体で、発射装置が駆動中に点灯表示する。表示体８７としては、左側の８７ａが払い出し表示体で、複数種（７個払い出し、１３個払い出し）設定された賞球の払い出しを各別に異なる色で点灯表示する。また球貸し要求に基づく払い出し時には、複数の表示体が同時に点灯する。右側の８７ｂが球切れ表示体で、裏面に設けられた複数の球切れ検出スイッチの作動に対応して、球切れの発生を各別に異なる色（赤、黄）で点灯表示する。前面板不正開放時や不正磁石使用時等不正の発生時には全ての表示体が同時に点灯若しくは点滅する。
【００１７】
前面枠体２に上記のように各種表示体を備えることにより、パチンコ遊技中における各表示体の点灯に応じて前面板３に備えた装飾部材３３の装飾レンズ体７０或いは装飾レンズ板７１を照明表示して、パチンコ遊技者、或いはホールの従業員等にその表示によりパチンコ機におけるパチンコ機に異常が発生した場合、図柄表示装置や入賞装置が始動状態にされた場合、図柄表示装置において当たり表示が成立した場合、遊技盤面上の特定領域をパチンコ球が通過した場合、可動可変入賞装置が作動状態となった時、満たん検出スイッチの作動時、可動可変入賞装置における変動動作が終了する予告、当たりが成立しやすい図柄表示装置の変動状態時、リーチ発生時等、或いは賞球の払い出し、球切れの発生などを表示報知できるようにする。上記実施形態では、前面枠体２の表示体８０と８７で前面板３の装飾レンズ体７０と装飾レンズ板７１を照明表示するようにしてあるが、これに限定されるものではなく、前面枠体２の装飾レンズ板７２に対応する位置にも表示体を備えて照明表示できるようにもできる。
【００１８】
前面枠体２には、下部両側に、複数のシール貼着用開口部２１２とシール貼着用開口２１３が証紙等シール２１４の面領域に合わせて開口又は凹設している。このシール貼着用開口部２１２は複数のシール２１４を遊技盤５のシール貼着部５９に重ね貼り可能とする壁部で囲まれた窪みが形成された重ね貼り許可構造を有する。従って、このシール貼着用開口部２１２を通じて遊技盤５のシール貼着部５９にシール２１４を貼着するので、シール２１４の剥がし行為を未然に防護することができる。
【００１９】
主枠体２０の前面側に前面板３と第一前板７を関係係脱可能とするための第一の軸支手段２７が設けられる一方、背面側には賞球タンクや賞品球排出装置が装備された機構基板６を開閉かつ係脱可能に軸支する第二の軸支手段２８が装着可能に設けられ、該前面枠体２は一側において側枠１に第三の軸支手段２９により開閉自在に取付けられ、他側において鍵装置２４０で鍵を掛ける構造とされている。
【００２０】
主枠体２０の前面側にガラス板が収容された前面板３と第一前板７を係脱可能かつ開閉可能に取付けるための第一の軸支手段２７を該軸支手段の一部一面を収容する一体形成された窪みにより位置決め指定して取付ける第一軸支手段位置決め収容部２０６と、球排出装置球通路が形成装備された機構基板６を前面枠体２の背面側に開閉可能かつ係脱可能軸支するための金属製の第二の軸支手段２８を該軸支手段の一部一面を収容する一体形成された窪みにより位置決め指定して取付ける第二軸支手段位置決め収容部２０７とを一体形成して、前面板３、第一前板７および機構基板６の軸支部の装着を案内し位置指定して固着させ、迅速かつ簡便なものとした。併せて、機構基板を内部に閉鎖収容した状態で前面板３が閉鎖覆設された合成樹脂製の前面枠体２をパチンコ機のベース枠となる側枠１に開閉係脱可能とする金属製第三の軸支手段２９を前面枠体２の上側端部を挟持して収容する第三の軸支部材収容部２０８が形成され、前面枠体２を側枠１に取付けるための軸部材の前面枠体への装着を円滑なものとした。
【００２１】
前面枠体２の主枠体２０の下方部分の板状部２５には、前面側に発射レールユニット２３２を位置指定して収容する発射レールユニット収容部２３１と、賞球回収ユニットを位置指定して収容する賞球ユニット収容部２３４とが一体形成され凹設形成されている。発射レールユニット２３２は金属製発射レール装着板２８０、金属製打球発射レール２３３からなる。発射レール装着板２８０は打球発射レール２３３の球飛送面一端部側と当接し支持するレール支持縁２８１と、打球発射レールの曲折箇所２３３ａを支持するレール支持孔２８２と、打球発射レールの球飛送面他端部側に形成されたレール取付け片２３３ｂを支持するレール取付けボス２８３とが設けられ、打球発射レール２３３が発射レール装着板２８０のレール支持縁２８１、レール支持孔２８２、レール取付けボス２８３にビス止めされ、かつ発射レール装着板２８０に弾性体により形成された発射レール上で待機される打球のストロークエンドを調整可能な打球ストッパー２８５のストッパー取付け部２８４と、打球発射モータの作用に基づいて回動され打球を打球送り装置から打球発射レールへ繰り出す打球繰り出し連係部材２８６とが設けられている。而して、打球発射レール２３３はレール支持縁２８１と、レール支持孔２８２と、レール取付けボス２８３とによりそれぞれ異なる支持方向で支持されレールの撓み位置ずれ、ゆるみの発生を防止できる。加えて、この作用効果を果たしつつ発射レール上における打球待機位置を打球ストッパー２８５の位置調整により、微調整可能とする効果を実現できる。又、発射レール２３３と遊技盤５に設けられる球誘導レール５０の端部との間にファール球回収孔（ファール通路）２３７が構成され、第二前板１０の下皿９に打損ないの打球が導かれる。この前面枠体２は厚み奥行きを一枚の合成樹脂板で形成して深く持たせない形態とし、しかも発射レール装置と賞球回収ユニットとの前面枠体における所定位置への取付けを位置案内指定し、適性な状態で迅速に行わせることを合成樹脂製の板状成形体上に形成した凸凹部により可能としている。
【００２２】
前面枠体２の主枠体２０の下方の板状部２５に透設された球嵌まり込み防止板取付け孔２４８にビス着される球嵌まり込み防止板２３５は打球発射レール２３３の打球の送出面とともに同一平面を形成し、第一前板７の裏面との間に打球が転出し、又は嵌まり込むことを防止するための球嵌まり込み防止縁部２３５ａを有している。第一前板７の裏面で、打球発射レール２３３上の打球待機位置における前記球嵌まり込み防止板２３５の球嵌まり込み防止縁２３５ａが配置されない部位は、打球発射レールの打球待機位置に打球を各一個毎に逐一繰り出し処理する第一前板７の裏面に装着される打球送り装置の機体が配置され、この打球送り装置の機体と打球発射レール２３３若しくは発射ユニット２３２とで、打球若しくは前面枠体の上方より落下したパチンコ球が、前面枠体と、第一前板７間に落ち込み、嵌まり込むことを防止する構造とされている。前面枠体に装着された打球発射レール２３３の打球送出面を、球嵌まり込み防止板２３５の縁部２３５ａがパチンコ機前面側より重なって包み覆う状態で、前面枠体の球嵌まり込み防止板取付け孔２４８を介して装着された球嵌まり込み防止板２３５には、ファール球回収孔２３７を打球発射レールの先端縁とともに形成する回収縁２３５ｂを備える。該回収縁２３５ｂより賞球排出口２３８の下側端に臨んで球嵌まり込み防止縁２３５ａが打球発射レール側に向けて延出形成され、前面板３が開放状態の時前面枠体下部に球が溜まらない貯留球排除構造が形成されている。
【００２３】
前面枠体２の下部には打球供給皿付き前板７の第一軸支手段２７と溢れ球用下皿収容部２１０が開放形成されている。又、下部前面に前面板３と第一前板７を枢支する第一軸支部材２７が設けられている。該第一軸支部材２７に開閉自由に軸支される第一前板７の錠装置１２０が係脱される鍵係受板２１７が発射レールユニット収容部２３１の右側位置の係受板取付け部２１８に設けられ、第一前板７が錠装置１２０の操作により開閉可能に設けられている。前面枠体２に形成した凹部が、打球供給皿（前板）軸支係入部と溢れ球用下皿のパチンコ機前面への膨出量を適正な状態で押さえることができる。又主枠体２０の下部に背面の取付け基板取付け部２６６に取付けられる打球発射装置２９０の前面側調整部露出用透孔２１９が透設され、第二前板１０を取外して打球発射装置２９０の打球槌の付勢手段の調整、カムの調整等前面側調整部を前面側より調整可能とする。かつ又、打球発射装置２９０の操作ハンドル１２、操作レバーが第二前板１０の一側に装着される。
【００２４】
主枠体２０の左側中央には機構基板６に設ける球抜き装置をピンで操作する球抜き操作用穴２１１が設けられ、右側上下に第１係止部材２４２の鍵収容孔２４６が透設され、右側中央に鍵部２０９が形成され、該鍵部２０９に鍵装置２４０の鍵体２０９ａが備えられている。又、右側上部隅角に前面板３の開閉を検知する前面板開閉スイッチ部材収容孔２１６が形成され、前面板開閉スイッチ部材２１５が該収容孔２１６に前面に若干突出状に設置され、前面板３の開閉時にスイッチをＯＮ、ＯＦＦさせ、前面板３の開閉をパチンコ機台の島の表示装置、或いはパチンコホールの管理室のコンピュータ装置に表示可能に設けられている。
【００２５】
前面枠体２の主枠体２０の背面構造は、図４、図５、図８、図９および図１８に示すように、中央部に遊技盤収容面２２０と、電気表示基板取付け部２２１と、配線スペース２２３、鍵装置収容部２４１等が構成されている。該遊技盤収容面２２０は遊技盤５の遊技領域５１の外側の否遊技領域５１ａの前面を隠蔽する隠蔽面２２ａと、遊技盤５をその上部、下部、左、右両側で包み収容する立て壁２２７とにより前面枠体２の中央に一体形成されている。すなわち、遊技盤収容面２２０は、遊技盤５に装設された球誘導レール５０の外周縁を取り囲む状態で第１の立て壁２２５が形成されて遊技面収容開口２１が設けられる一方、収容される遊技盤５の厚みに対応する第２の立て壁２２７が上下左右側部に対設されて遊技盤収容開口２２６が構成され、パチンコ機内に脱着可能に収容する遊技盤５を前面方向、上下方向、左右方向の何の方向にも、所定の巾域を有する面接触で維持収容する構成にされ、遊技盤が適性な厚み内で確実に前面枠体内に収納できる。遊技盤５を収納した後、運搬時等の振動衝撃によって前面枠体に対する遊技盤の位置ずれ発生防止ができる。
【００２６】
前面枠体２の主枠体２０には、前記遊技盤収容面２２０の周縁部にほぼ長形状で中心部は格子状に近い形状に枠体補強リブ２２２が立設形成され、上部に電気表示基板を位置決めして取付け可能とする電気表示基板取付け部２２１が一体形成されている。合成樹脂製前面枠体２に電気表示基板取付け部２２１を一体形成したので、特別な装着手段を遊技盤や前面板に設けることなく、迅速にパチンコ機に表示体を装着できる。該電気表示基板取付け部２２１の背面側に相当する位置には配線スペース２２３が構成され、かつ、その配線スペース２２３に弾性を有する配線止め片２２３ａが一体形成され、表示体８０用の基板８５、表示体８７用の基板８８への配線２７５ａをまとめて配線スペース２２３を通じて入出力回路基板２７１等に接続するように構成されている。強度を補強するためのリブ、筒状部が一括して設けられているので、新たに特別な補強手段を前面枠体に装着して配線処理ダクトを構成しなくてもよい。各基板の配線束を通す配線スペースとして、上部右側の入出力回路基板収容部２６３から下部右側の中継回路基板収容部２６５までに配線スペース２７４が形成されている。配線スペース２２３には、表示ランプ８５、８９の基板８８、９０の配線、球切れ出力配線等の各種配線２７５ａが纏めて配設され、また配線スペース２７４には中央制御回路基板、発射装置回路基板、払い出し回路基板、カードデータ処理中継回路基板への信号と電源の入出力配線等の各種配線２７５ｂが纏めて配設されている。なお、２７７は駆動モータ用発射装置回路基板、２７８は発射装置配線第２コネクタ、該駆動モータの配線は主枠体裏面とカバー体２６７の間を通して該第２コネクタに脱着可能に接続されている。
【００２７】
又、前記主枠体２０の背面は遊技盤装着リブ２２２ａ、発射装置装着リブ２２２ｂ、回路基板装着リブ２２２ｃとによって各装置の前面枠体前面側からの装着設置面までの高さ（厚み）が一括して各別に設定され、高さ、厚みの異なる各装着部材を前面枠体２の内部容積内の所定の高さに収め収容可能とするとともに、合成樹脂により形成された前面枠体に強度を与え、リブに併せて形成された案内縁若しくは片により各装置や部材の前面枠体への取付け位置を指定し案内することを可能としている。前面枠体２には少なくとも発射装置装着部と回路基板装着部との取付け用ビス口、若しくは収容口が一体形成されている。
【００２８】
前面枠体２の主枠体２０の裏面の周辺部には、各種基板の収容部が形成されている。すなわち、上部左側に表示ランプ８７の表示ランプ基板９０を収容する表示ランプ基板収容部２６１と、前面板開閉検知スイッチ用接続コネクタ２７０を取着するスイッチ用接続コネクタ収容部２６２と、上部右側にパチンコ機外部管理装置と接続する入出力回路基板２７１を位置指定して収容する入出力回路基板収容部２６３と、下部右側にカードデータ処理中継回路基板２７３を位置指定して収容する中継回路基板収容部２６５と、打球発射装置取付け基板２９１を位置指定して取付ける取付け基板取付け部２６６が一体形成され、左側には鍵装置収容部２４１が形成されている。
【００２９】
而して、表示ランプ基板収容部２６１には前記表示ランプ基板９０がビスで脱着可能に取付けられ、スイッチ用接続コネクタ収容部２６２には前面板開閉検知スイッチ用接続コネクタ２７０が脱着可能に取付けられ、かつ、入出力回路基板収容部２６３には入出力回路基板２７１が、中継回路基板収容部２６５にはカードデータ処理中継回路基板２７３がそれぞれ位置指定して基板取付けビスで取着され、取付け基板収容部２６６には打球発射装置取付け基板２９１がビスで取着されている。
【００３０】
前記パチンコ機外部管理装置と接続する入出力回路基板２７１は、始動入賞数信号、大当たり発生処理信号、不正信号、入賞信号、払い出し動作（処理）信号、打球発射駆動信号、特別な入賞領域通過検出信号、球貸し処理信号、前面板開放信号、球切れ信号等を各別にパチンコ機内外に入出力するための多数のコネクタ２７１ａが列状に配設され、ヒューズ２７１ｂが備えられている。また、カードデータ処理中継回路基板２７３はパチンコ機に対応してセットされるプリペードカード処理ユニットと、当該パチンコ機前面に設けられる球貸し操作および表示回路基板と、発射装置回路基板と、払い出し回路基板等とを電気的に中継処理するものである。該中継回路基板２７３には、プリペードカード処理ユニット接続コネクタ２７３ａ、発射装置配線第１コネクタ２７３ｂ、カードデータ処理状態表示ＬＥＤ２７３ｃが備えられている。なお、２７６ａは払い出し回路基板６１２と機構基板６の払い出し駆動ユニット６１１との接続配線、２７６ｂは払い出し回路基板６１２とカードデータ処理中継回路基板２７３との接続配線である。
【００３１】
図４、図８、図９および図１８において、前面枠体２の背面には、柱状鍵装置２４０を断面Ｌ字状で位置指定し係収容する鍵装置収容部２４１と、パチンコ機本体の機製の側枠１に当該前面枠体２を回動係脱自在に装着するための金属製軸部材１１を上下側端部の複数箇所で位置指定して装備する金属製軸部材取付け部２４５とが設けられている。
【００３２】
図４、図８、図９および図１４において、前面枠体２の主枠体２０の左側に、パチンコ機の前面板３および側枠１を一体化して固着するための鍵部材を取付け位置を案内指定して収容する断面Ｌ型の鍵取付け壁面２４１ａが形成され、該鍵取付け壁面２４１ａに鍵収容孔２４６が透設され、これに鍵の筒部を誘入させるとともに、前記鍵取付け壁面２４１ａに鍵体を誘導して前面枠体２に装着する案内工程と、前面枠体２に透設された取付け孔を介してビスを前面枠体２の取付けボスに螺旋入する固着工程とにより、前面枠体に極めて容易かつ迅速に鍵装置２４０を装着することができる。合成樹脂製の前面枠体２を木製側枠１に、開閉かつ係脱可能に装着するための、折り曲げ形成された金属製軸支部材１１を収容する軸部材取付け部２４５を前面枠体２に形成した。これにより開閉係脱時における前面枠体２の耐久強度が全体を金属とすることなく補完できる。
【００３３】
前面枠体２の裏面側の鍵装置収容部２４１に装着する鍵装置２４０は、合成樹脂製の前面板３のガラス板収容枠４に設けた係受体４９が係脱される第１の係止部２４２と木製の側枠１の係止金具が係脱される第２の係止部２４３とが相対向して突設され柱状とされた鍵装置２４０の取付け位置を決める鍵装置位置決め体２４７が構成され、その位置決め体２４７に取付けた鍵装置の第１の係止部２４２の鍵収容孔２４６が上下に設けられ、該第１係止部２４２に前記前面板３の背面に装着したガラス板収容枠４の係止板４９が係脱可能とされ、第２の係止部２４３は後方に突出して側枠１の係止金具に係脱可能とされている。従って、前面枠体２にガラス板収容枠４の金属片を介して前面板３を側枠１に付設された鍵部材を介して側枠１を同時に前面側および背面側に装着するための鍵装置２４０に前後の作用部（係着部）を一体形成し、これを前面枠体２に装着し、前記前面板１と、側枠１と、機構基板６とを開閉可能にセッティングした構成としたので、前面枠体２に設けられた鍵装置により前面板３と側枠１とを併せてパチンコ機本体に形成できる。
【００３４】
パチンコ機本体木製の側枠１に当該前面枠体２を回動係脱自在に装着するための金属製軸部材１１を上下側端部の複数箇所で位置指定して装備する金属製軸部材取付け部２４５とが一体形成されている。合成樹脂製の前面枠体を木製側枠に、開閉かつ係脱可能に装着するための、折り曲げ形成された金属製軸支部材を収容する前面枠体２の耐久強度が全体を金属とすることなく補完できている。
【００３５】
前面枠体２の背面側の遊技面収容開口２１の上部一側には打球止体２３０、例えば、球止めゴムを係支する打球止体装着部２２９が一体形成されている。従来遊技盤に設けていた球止め部材の取付け部が前面枠体２に一体形成されたので、遊技盤５に球止手段を組付けなくともよく、作業工程と部品点数の簡略化が図れる効果を生じる。
【００３６】
主枠体２０の板状部２５の背面には、透明なカバー体２６７が被せられてビス止めされ、アウト球を、パチンコ機背面側で開閉可能に覆設され賞品球払出し装置等が設けられた機構基板６に導出するためのアウト球排出路２３６が一体成形され、他のアウト球誘導手段を設けて導くための構成を設けることを不要としてある。すなわち、主枠体２０の背面に上面に誘入口２３６ａを有し、背面に排出口２３６ｂが設けられたアウト球排出通路２３６が縦方向に形成され、遊技盤５の背面のアウト球排出通路５０３から流下するアウト球が上面の誘入口２３６ａから入り、アウト球排出通路２３６を通過して排出口２３６ｂから後部の機構基板６のアウト球排出路に排出させる。そのアウト球排出通路２３６にはアウト球を円滑に流下させるべく縦方向に凹凸状が形成されている。
【００３７】
又、賞球ユニット収容部２３４の賞球出口２３８には機構基板６の賞球排出口６０４が関連設置され、賞球が賞球排出口６０１から賞球出口２３８を介して第一前板７の上皿８に排出される。かつ、アウト球排出通路２３６の直下には、溢れ球下皿収容部２１０に連通して溢れ球排出通路２９５が構成され、機構基板６の背面に設けられる賞球通路が関連接続される。溢れ球下皿収容部２１０に設けられた溢れ球排出通路２９５には、静電気電荷除去用球通過面体２９６が装着けられ、該静電気電荷除去用球通過面体２９６から鍵装置２４０の金属製部材に導電部材としてアース配線２９７が主枠体２０の下辺と取付け基板２８０との間に構成される配線スペース２９８を通じて配設されてアースされる。これによりパチンコ機内、特に前面枠体２の背面の機構基板６内を通過するパチンコ球に帯電した静電気を鍵、鍵に作用する人体を介してパチンコ機上部において発生した帯電電荷も下部の溢れ球排出通路２９５において、帯電した電荷を煩雑な電気配線を引き回し処理することなく、鍵装置２４０を介して除去することができる効果を生じる。
【００３８】
前面枠体２の背面側には遊技盤を遊技盤収容面２２０に収容して後、離脱不能とする遊技盤５の係止め部材２５０、２５１が複数箇所に設けられている。係止め部材２５０は合成樹脂製でＬ字状に形成されて遊技盤面への作用片２５０ａ側が短く形成され、操作片２５０ｂ側が長くかつ巾広く形成され、そのＬ字の角部の支軸２５２が主枠体２０の一側に設けられた支軸部２５３に回動可能に設けられ、係止め部材２５０の固定操作前においては操作面を前面枠体の端縁側に突出させて短い作用片が遊技盤２２０から外れた位置、すなわち縦方向となり、遊技盤の固定後においては操作面が前面枠体の端縁内に収容され、短い作用片が遊技盤５の背面に係止固定される作動変位を呈する形態とする。前記係止め部材２５０の操作片は作用片側に比較して固定後においての開放操作を容易とするため所定の広い巾として形成された開放作用面が形成され、遊技盤固定時には遊技盤縁外への操作部の露出量を無くすとともに開放離脱操作を容易としてある。主枠体２０の下部の板状部２５には係止め部材収容部２５４が円形に形成され、係止め部材２５１が回動自由に備えられ、係止め部材２５１の先端の係止め部２５１ａが遊技盤５の背面に係脱可能に備えられている。すなわち、係止め部材２５１は合成樹脂製でＩ状で円形の係止め部材収容部２５４に嵌合して回動しうる形状とし、その一側に係止め部材収容部２５４の背面に露出して先端の係止め部２５１ａが形成され、その係止め部材２５１の中央が支軸２５５で回動自在に設けられ、該係止め部材２５１で遊技盤５を固定する場合には、係止め部材２５１を縦にして先端の係止め部２５１ａを遊技盤５の背面に係止固定させ、遊技盤５を外す時は、係止め部材２５１を回動して先端の係止め部２５１ａを遊技盤５の背面にから外し、遊技盤を解放させ、遊技盤５は遊技面収容開口２２０から外すことができる。
【００３９】
前面枠体２の背面には打球発射装置２９０の打球発射装置取付け基板２９１を位置決め指定して装着するための取付け基板収容部２６６が形成され、発射装置の前面枠体２における所定位置への装着が前面枠体２に形成された位置決め溝と取付けボスとにより所定位置に正確に案内され固着される。打球発射装置２９０は打球発射装置取付け基板２９１に打球槌２９２が軸支され、該打球槌には弾発力を付与する付勢手段が装設され、かつ操作ハンドル１２の操作レバーの回動操作により打球槌２９２の弾発力が調整され、操作レバーの操作により起動するモータ２９３の駆動によりカムの作用で打球槌２９２のカム係受体が回動されて、打球槌２９２が付勢手段に抗して弾発され、前記発射レール２３３の発射部位に供給位置する打球が発射される。前面枠体２の前面側に装設された打球発射レールの打球待機位置と打球発射用装置に設けられる打球ハンマーの槌先とが狂いなく正確にセッティングできる。
【００４０】
前記前面枠体２の背面には、賞球タンクや賞球排出装置が装備された機構基板６が開閉かつ係脱可能に設けられている。一側上下の軸受け部材取付け孔２５８に機構基板係支部材軸受け部材２５６が設けられ、かつ他側の上下に機構基板止め部材６２２用の取付け用孔２５７が設けられ、機構基板６が主枠体２０の背面を覆うように開閉可能に設けられ、機構基板６を閉じたときにはその開放側が機構基板止め部材６１２で固定可能に設けられている。
【００４１】
遊技盤
図１、図１６および図１７において、前記前面枠体２の遊技盤収容面２２０に収容される遊技盤５は、ほぼ正方形の合板により構成され、その周辺の隅角部は遊技盤収容面２２０の形状に合致する形状とされている。すなわち、上部右側には入出力回路基板位置指定用切欠き５２ａ、上部左側には検出部接続コネクタ収容部２６２のＬ型壁面に嵌合させる位置指定用切欠き５２ｂ、下部左側には賞球ユニット収容部２３４のＬ型壁面に位置指定して嵌合させる位置指定用切欠き５２ｃが形成され、かつ周辺に前記前面枠体２の主枠体２０の背面の位置決め突起２２８に位置決め嵌合する嵌合孔５３が透設され、その前面には打球発射装置２９０により打球発射レール２３３から発射される打球を遊技領域へ誘導し、かつ遊技領域５１を形成する円形渦巻き状に誘導レール５０が設けられてその遊技領域外は非遊技面５１ａとなり、前面枠体２の遊技面隠蔽部２２の背面の隠蔽面２２ａに当接させて隠蔽させ、該誘導レール５０の内側が遊技領域５１とされて打球が転動するものである。遊技領域内には、可変表示装置５４、入賞装置５５、風車、釘等が設けられ、かつ、遊技領域の最下部にはアウト球口５６が設けられている。又誘導レール５０の内周の両側に円弧状の表示体収容孔５７が形成され、表示体として表示ランプ５８が配置される。この表示ランプ５８は表示ランプ基板５１６にＬＥＤが複数個備えられている。遊技盤５の遊技領域外の下部に合成樹脂製シール貼着部５９が構成されている。而して、シール２１４がこのシール貼着部５９に貼着されて前記前面枠体２のシール貼着用開口部２１２を通じて正面から透視できるように設ける。
【００４２】
又、この遊技盤５の背面には図１７に示すように、前記可変表示装置５４の背面表示装置収納体５０１が設けられ、かつ各種入賞口や入賞装置の入賞球を誘導集合する入賞球集合通路５０２が構成されている。又その可変表示装置収納体５０１等の背面には中央制御回路基板５１１、図柄表示装置制御回路基板５１２、中継基板５１３が設けられている。この中央制御回路基板５１１は入賞の発生に伴う賞球の払出し動作をし、図柄表示装置、入賞装置、表示ランプの駆動制御等をする。図柄表示装置制御回路基板５１２は機種によっては入賞装置制御回路基板としてある。５１４は中央制御基板と図柄表示装置制御回路基板との相互配線コネクタ、５１５は中央制御基板と中継基板との相互配線コネクタである。かつ又、遊技盤５の背面には、前記アウト球口５６に対応する位置の下方にアウト球通路５０３が設けられ、アウト球は前面枠体２の背面のアウト球排出通路２３６を介して機構基板６の球排出路に導かれる。
【００４３】
図１８において、該遊技盤５の前面枠体２の遊技盤収容面２２０への装着構造は、遊技盤５の嵌合孔５３を主枠体２０の背面の位置決め突起２２８に嵌合させて位置きめさせ、遊技盤５の遊技領域５１を第１の立て壁２２５に嵌合し、遊技盤５の周囲を第２の立て壁２２７に合致させて遊技盤収容面２２０に収容して後、前面枠体２の背面複数箇所に設けられたＬ字状に形成された遊技盤面への作用片側が短く形成された係止め部材２５０を回動して遊技盤５の背面に係合させ、かつ先端に係止め部２５１ａが設けられた係止め部材２５１を回動して遊技盤５の背面に係合させて固定される。
【００４４】
前面板
前面板３の構成について、図１、図２、図１９乃至図２２を参照して説明する。前面板３は遊技盤の遊技領域を囲い、前面の装飾効果を高めるように構成され、背面には透視しうるガラス板を装着するガラス板収容枠４を取付けている。前面板３は、遊技盤５の遊技領域を囲う遊技開口３１を有する主枠部材３０と、主枠部材３０の前面装飾部３２に装着される複数の合成樹脂製装飾部材３３と、背面側に取着されるガラス板収容枠４とから構成される。
【００４５】
主枠部材３０は遊技盤の遊技領域を囲むようにかまぼこ型遊技開口３１が打ち抜き形成され、打ち抜き形成された当該前面板によりパチンコ機前面部を覆う領域をパチンコ機側枠側までに及ぶように拡大して遊技開口外周に沿った状態に前面装飾部３２が樹脂の一体成形により構成され、パチンコ機遊技盤面上のパチンコ球転動領域外周の装飾機能及び趣向感を高めた。前面装飾部３２には遊技盤のレールに沿って円弧状に形成された表示部、装飾部が構成される。表示部、装飾部はレールに沿って同心円状に形成され、各々分離して形成されている。内部に表示体、高原を配して表示制御する場合には、同心円状に配置された表示部より、表示状態が広い領域に拡散する状態や、中央部に向かって収束する状態をパチンコ機に現して、極めて斬新な趣向感を実現できる効果を生じる。
【００４６】
すなわち、前面板３の主枠部材３０の上部両側に後述の表示体からの投光を拡散収束して表示する装飾レンズ体装着部３４、遊技開口上部周縁に沿って装飾レンズ板取付け部３５および遊技開口両側周縁に沿って装飾レンズ板取付け部３６が形成され、前記装飾レンズ体装着部３４と装飾レンズ板取付け部３５、３６に装飾部材３３が装着される。装着部材３３として、装飾レンズ体装着部３４には透光性合成樹脂製装飾レンズ体７０が、又装飾レンズ板取付け部３５、３６に透光性合成樹脂製装飾レンズ板７１、７２が装設されている。前面板３と装飾レンズ体７０、装飾レンズ板７１、７２とは外観上一体形成品の状態でパチンコ機へセットするようにしてある。前面板はこれを分割はしないで、単一の部品として一体形成され、パチンコ機への組付けを容易としてある。前面板３自体に前面装飾部を設けて、従来遊技盤に設けられていたコーナー飾りは不要としてある。
【００４７】
前面板３の前面装飾部３２に装飾部材３３として装飾レンズ体７０、装飾レンズ板７１、７２を装着すること等により、遊技盤とは別の箇所に設けられ、前面板が機体内部に収容された表示体からの投光の照度を高め、パチンコ遊技に関わる報知機能と趣向感を高め装飾効果を拡大する機能を発揮することができる。この前面板３には、装飾レンズ体、装飾レンズ板が設けられるだけで、表示ランプ、ＬＥＤそれに付属する配線、回路等を設けない構造としてあるので、遊技盤にランプ、ＬＥＤ、装飾レンズ等を装設けするための部位の組立工程や、部品点数の削減が可能とされる。
【００４８】
前記装飾レンズ体装着部３４は、表示体からの投光を分離して表示する複数の光束案内孔３１０が一体的に形成され、表示体からの投光を分離して、単一表示体からの複数の装飾部における表示を可能とするとともに、各別の表示体からの投光が隣接する表示面に洩れて干渉することを光束案内孔により防止している。前記光束案内孔３１０として、装飾レンズ体を嵌め合う装飾レンズ取付け案内溝３１１が設けられ、その内面部３１２の中央に表示体からの投光を透過する装飾用孔３１３、その両側に係受け孔３１４が設けられている。
【００４９】
装飾レンズ体７０は表示体からの投光を透過しうる透光性合成樹脂製で、表示体の照明を入乱反射するレンズ面７０１と、前記レンズ装着部３４の案内溝３４１に嵌め合いできる周壁７０２と、その周壁の両端後部に一体形成された係止め片７０３が形成されている。而して、前面板における装飾レンズ体７０の取付けが前面板に形成された係受け孔３１４と装飾レンズ体７０の係止め片７０３とによりワンタッチ装着されるのを可能としている。合成樹脂製の前面板と同じく合成樹脂製の装飾レンズ体との嵌め合いにより、木製遊技盤に対する合成樹脂製の装飾レンズとの係着関係において発生する膨張率の相違によるがたつきや嵌め合い異常を防止する効果を生じる。又、このレンズ体の内部には表示体等を収容せず、レンズ体における入乱反射等により装飾機能を簡便に発揮している。前面板内部に表示体、ランプを設けず装飾機能を発揮させて、部品点数と製造工程の簡略化を果たし、製造原価を削る効果を生じる。
【００５０】
また、装飾レンズ体７０の表示レンズ面を他の前面板面より高く突出形成し、所定の厚みをもって楕円状に形成された装飾レンズ体７０をガラス防護手段とし、前面板の転倒時における衝撃を吸収し、物理作用がガラス面におよぶことを防ぐ構造としている。
【００５１】
上部の装飾レンズ板用取付け部３５には、表示体からの投光を透過する複数の透孔３２０が形成されている。装飾レンズ板７１は、表示体からの投光を透過しうる透光性合成樹脂製で、表示体からの照明で装飾機能を発揮しうるように設けられている。又、側面の装飾レンズ板７２も同じ合成樹脂製である。前記装飾レンズ板７１は上部の装飾レンズ体７０間の取付け部３５に取付けられ、かつ、装飾レンズ板７２はそのレンズ体より遊技開口３１の両側に沿った取付け部３６に装飾として固定されている。
【００５２】
前面板３の外周縁および遊技開口の内周は曲面状に形成して、合成樹脂体への作用外力を分散して損傷我の発生を防止し、パチンコ機本体側部に丸みを持った趣向感を持たせる構造としている。かつ又、開放側の側面に前面枠体２に設けられる鍵装置の取付け箇所として鍵装置用凹部３７が形成されている。パチンコ機に設けられる鍵装置の取付け箇所が確保されている。
【００５３】
前面板３の開放側の側面に前面枠体２に設けられる鍵装置の取付け箇所として前面枠体２の前面側の凸状鍵部２０９を位置指定して嵌合する鍵装置用凹部３７が形成され、パチンコ機に設けられる鍵装置の取付け箇所が確保されている。この鍵装置用凹部３７には前面枠体２の前面側の鍵部２０９が嵌合されて固定されるので、前面板３の浮動を阻止でき、又、鍵部２０９が露出して損傷されやすくなることを阻止している。前面枠体２の中心鍵部は前面板３の鍵装置用凹部３７の前面に若干露出状に形成されている。
【００５４】
さらに、前面板３の枢支側の前面中央の球抜き用操作口３２１が設けられ、球抜き用操作口３２１を前面枠体２の球抜き孔用穴２１１と合致させ、球抜き用操作口に対してピン等を挿入し、前面枠体２の背面の機構基板６に設けられる球抜き装置を機構的な連係手段を介して賞球タンクより賞球貸し球をパチンコ機内から機外に球抜き処理する構造としてある。この球抜き用操作口にピンを挿入して、球抜き装置を作用する手段は、上記のものに限られるものではなく、球抜き用操作口にピンを挿入しパチンコ機内部に設けられた球抜き操作検出スイッチを作動し、ソレノイドを連係作動し、球抜き装置の球抜き片を開放し、球抜き処理する構造としてもよい。
【００５５】
前面板３の枢支側の上部には、前面枠体２の前面枢支側の上部角部の凸状の前面板用軸支部２０２に合致しうる形状の切欠部３１７が形成され、その切欠部３１７の上面に背面側に第一の軸支手段２６として出没可能に装着された軸部材３１８が突出させられ、前面枠体２の前面板用軸支部２０１に設けた軸部材用支持孔２０３に軸部材３１８が係入可能にセットされる。前面板用軸支部２０２は角部に円弧が付けられ、前面板３の切欠部３１７もそれに合致するように角部が円弧状に設けられている。又前面板の枢支側の下部には、背面にガラス板収容枠４に設けられた軸受け部材４０４を収容する軸受け部材収容部３０８が形成され、ガラス板収容枠４に設けられた軸受け部材４０４の軸受け孔４０３に合致する軸受け孔３０９が形成され、ガラス板収容枠４の軸受け部材４０４が軸受け部材収容部３０８に装着されてねじで固定されている。前面板３に装着した上部の軸部材３１８も、下部の軸受け部材４０４も前面板３と前面枠体２の外面に露出させないので、軸部の保護ができる。かつ又、前面板３の軸部材３１８を前面枠体２の軸部材用支持孔２０３に係着時に、その切欠部３１７の上面に突出する軸部材３１８は前面枠体２の前面板用軸支部２０２の下面に沿って円滑に軸部材用支持孔２０３に係入され、係受け、取付け作業が円滑にできる。
【００５６】
前面板３の背面の背面構造について説明する。主枠部材３０の背面外周縁にリブ３０１が設けられ、かつ前記遊技開口３１の内周縁にリブ３０２が設けられ、そのリブ間に若干低い縦横のリブ３０３が設けられ、かつ、後述のガラス板収容枠４の取付け位置を案内する位置決め手段３８が一体形成され、一方ガラス板収容枠４には位置決め手段に対応する位置決め受け部４９が形成され、その位置決め手段３８にガラス板収容枠４を案内状態で取付け位置を指定し円滑かつ容易に固定手段で固定するようにしてある。
【００５７】
前記合成樹脂製前面板の主枠部材３０の背面に位置決め手段３８として、ガラス板枠収容溝３０４が形成されて、このガラス板枠収容溝３０４にガラス板収容枠４が案内されて取付け位置を指定し前面板３にガラス板収容枠４が装着される。ガラス板収容溝３０４は、外周縁のリブ３０１の内側にガラス収容枠の線状に曲折形成された位置決め段部４０１を嵌合する段付き位置決め受け部３０５、ガラス板収容枠４の位置決め孔４０２を嵌合する位置決め部３０６が構成されている。又主枠部材３０の背面の適所にガラス板収容枠４のビス孔４７と合致する位置にビス受け孔３９が設けられる。又、前面板３の枢支側の中央に、球抜き用操作孔３２１付き凸部３０７が設けられ、前面側前面に透設された球抜き孔３２１からこれを貫通して、この球抜き用操作孔に細いピンを差し込み背面の機構基板６の誘導通路の球抜き装置を操作しうるようにする。
【００５８】
ガラス板収容枠
図２１乃至図２３において、ガラス板収容枠４は２枚のガラス板４０を収容するように上部にガラス板誘入口４１、側部にガラス板案内溝４２、下部にガラス板受け面４３が設けられた四角形状の金属製枠体で、枠体の上部と両側に巾広の歪み防止兼取付け用板面部４４、４５、４６が形成され、該歪み防止兼取付け用板面部４４、４５、４６に取付けビス用孔４７を透設し、取付けビス４０８を係入して前記前面板３の背面の所定位置に取着される。ガラス板案内溝４２とガラス板受け面４３は断面コ字型で２列に形成され、ガラス板誘入口４１には２枚のガラス間に間隔をとる間隙部材４８が設けられている。２枚のガラス板４０が上部の間隙部材４８の前後のガラス板誘入口４１よりガラス板案内溝４２と下部のガラス板受け面４３に挿入されて装着されている。
【００５９】
前記金属製ガラス板収容体４の上部の歪み防止兼取付け用板面部４４は前面板３の遊技開口の上部と表示体からの照明を透過する透孔との間を覆うように巾広い板面として、その上縁４１１を線状に折り曲げかつ下縁４１２は遊技開口３１の上縁と、光束案内孔３１０とに沿って円弧状に形成されている。又、ガラス板収容体４の両側の歪み防止兼取付け用板面部４５、４６には上端から下端まで線状に曲折形成された位置決め段部４０１が形成され、取付けビス用取付け孔４７が設けられる。図２２に示すように、その一側の歪み防止兼取付け用板面部４５（枢支側）には下部に前面枠体２に設けられた軸受凸部を係入する軸受け孔４０３を有する金属製軸受板４０４がねじで固定され、かつ枢支側の中央には前記球抜き用操作孔３１０付凸部３０９の透孔４０５が設けられ、又、他側の歪み防止兼取付け用板面部４６には上下に前面枠体の鍵装置の係支爪が係脱される係受体４９が設けられ、かつ、前記ガラス板収容枠４の板面部４５、４６に位置決め孔４０２が透設され、前面板３の鍵装置の取付け箇所としての凹部３７と合致する形状の凹部４０７が形成されている。
【００６０】
而して、ガラス板収容枠４を前面板３の背面に取付ける時は、ガラス板収容枠４の取付け案内角部が前面板３のガラス板収容溝３０５で案内状態で取付け位置を指定し、取付け用ビス孔を通じてビスで固定して円滑かつ容易に装着する。ガラス板収容枠４に透設された位置決め孔と、これに対応して前面板背面に形成された取付けビス受け孔にガラス板収容枠のビス孔を介して取付けビスを螺旋入する作業工程をして、前面板にガラス板収容枠を極めて容易かつ確実に所定位置に固着することが可能である。さらに、位置決め案内手段が線状に形成されているので、所定部位への案内作用が広い範囲に対して行うことができるとともに広範囲に渡って位置指定できる。又、装飾用孔（表示孔）がガラス板収容枠の案内位置指定をし、レール対応縁部がガラス板収容枠の案内位置指定をしている。ガラス板収容枠の板面部の直線状折り曲げ部が収容枠自体を補強するとともに板面部、直線折り曲げ部が合成樹脂製前面板３の骨部として補強作用をしている。
【００６１】
前記前面板３を前面枠体２、開閉可能かつ係脱可能に装着する構造を説明すると、前面板３の背面上部に操作により出没可能にされる軸部材３１８が設けられ、かつ前面板３に装着したガラス板収容枠４の一側下部に軸受け部材４０４に軸受け孔４０３が設けられ、前面枠体２に設けられた軸受凸部をこの軸受け孔４０３に係入する第１の組付けステップと、前記前面板の軸部材３１８を没操作状態で前面枠体２の軸受け孔に当接して後係入する第２のステップによって、前面板３を前面枠体２に開閉自由に装着する。この構造により、合成樹脂製の前面板が、前面枠体に対して取扱い容易で開閉かつ係脱可能にされている。
【００６２】
この前面枠体２の軸受け凸部と、これに係合する軸受け孔が金属製ユニットとして前面枠体と前面板に配置されている。かつまた、前面枠体に装着される軸受け凸部には遊技球供給皿の装備される前板７を軸支する軸部材が同時に付設されている。この構成とすることにより、前面板３と前板７とを開閉可能かつ係脱可能に一括で軸支することを可能としている。前面板３の前面枠体２への取付け部位を金属製軸部材により補強することができる。またガラス板収容枠４の金属製板面部を利用して軸受け部材４０４が設けられ、軸部材の強度が補完されている。合成樹脂製前面板の開閉係脱に際して加わる作用力に対応した強度を設定するための軸部材の取付けを、案内指定する凹凸部が前面板に形成され軸部材の組付けの簡便が図られている。
【００６３】
第一前板
図１において、第一前板７は、合成樹脂製の長方形状板材で、賞球出口１００が設けられ、賞球出口の背面の筒状部が前記前面枠体２の前面側の賞球ユニット収容部２３４の賞球排出口２３８に臨ませ、前面側に貸し玉、賞球を貯留する賞球上皿８が取付けられる。賞球上皿８には、打球発射装置２９０の発射レール２３３の打球発射部位に打球を供給する打球供給通路１０１、打球を打球発射部位に一個ずつ供給する打球送り装置１０２が設けられ、打球送り装置１０２により前記前面枠体２の前面の発射レール２３３の発射部位に打球が供給される。又、前板７の前面側に球抜き装置１０３が設けられる。球抜き装置１０３は上皿から下皿へボタン、レバー操作等で前記打球供給通路から第一球抜き通路１０４が形成される。さらに、上皿８の前面壁１０５には、その上面或いは前面に球貸し出しボタン１０６、球貸し出しボタンランプ１０７、度数表示器１０８、カード返却ボタン１０９等が設けられている。
【００６４】
該第一前板７を前面枠体２の前面板３の下方の板状部２５に開閉自由に軸支する構造は、第一前板７の枢支側に軸支手段２７として、前面枠体２に取付けた枢支側の軸受け部材２０４に装着した軸支部材２０５の下部に上部の支持孔を係入する第１の組付けステップと、第一前板７の下部の軸部材２０５ａを没操作状態で前面枠体２の支持孔２０４ａに係入軸支し、第一前板７を前面枠体２に開閉自由に装着する第２の組付けステップとにより形成される。第一前板７の開放側背面には錠装置１２０が設けられ、第一前板７の開閉時、錠装置１２０が主枠体２０の係受け板取付け部２１８に設けた鍵係受板２１７に係脱可能にされ、第一前板７が前面枠体２に配置して係着されている。
【００６５】
第二前板
図１において、第二前板１０も合成樹脂製の長方形板材で、前面枠体２の第一前板７の下方に平行にねじ等で固定される。この第二前板１０には前記第一前板に設けられた第一球抜き通路１０４の排出口１０４ａに対設された導入口１１０ａを有する第二球抜き通路１１０が形成され、かつ第二前板１０に透設された球排出口１１１および前記球抜き通路より誘出されたパチンコ球を貯留する球受け下皿９が取付けられ、該球受け皿９の底面に形成され、貯留されたパチンコ球をパチンコ機の機外へ開放する下皿球抜き開口１１２に、該下皿球抜き開口を開閉する球抜き開口用遮蔽板１１４を摺動可能に備えた球抜き装置１１３が装着されている。
【００６６】
機構基板
図２４乃至図２７において、機構基板６は、前面枠体２に装着した遊技盤５の背面を覆うように遊技盤背面側に装備されるとともにパチンコ機内に収容された前面枠体２に対して開閉可能にされ、固定手段で止められるものである。機構基板６は、合成樹脂製ベース板６０の中央部に遊技盤５の背面の表示装置収納体５０１等が露出する四角形の開口６１が形成され、その背面側上部に賞球（貸し球）が貯留される賞球タンク６２を装着するとともに賞球誘導路６３と、側方の賞球通路６４と、球抜き通路６５と、遊技盤背面の適宜箇所から転出して来る複数のセーフ球を集合するセーフ球集合樋６６と、セーフ球集合路６７と、該セーフ球集合路６７に連通されセーフ球検出装置６１０へ集合されたセーフ球を一条に整列して導出するセーフ球導出路６７とが立ち上り壁により分離して同一面に形成されている。前記側方の賞球通路６４には球払出し駆動ユニット装置６１１が設けられ、又、この賞球通路、球抜き通路、セーフ球集合通路、セーフ球導出路を覆接する機構基板６の蓋部材６００が装着されている。又ベース板６０の正面側、すなわち前面枠体２の背面に取付ける側には下部にアウト球通路６９が賞球通路６４、球抜き通路６５、セーフ球集合路６７等と立体交差し直交状に形成され、遊技盤５の裏面下方のアウト球排出路５０３、前面枠体２のアウト球排出通路２３６を通じて転出されたアウト球を回収してパチンコ機外へ排出される。６０１は賞球排出口、６０２は溢れ球排出通路である。
【００６７】
なお、機構基板６には、球切れ検出ユニット６１３、６１４、球貸し要求や入賞の発生に伴って所定個数の賞球を払い出す回転体および回転体を駆動するモータが収納された払い出し駆動ユニット６１１、払い出し回路基板６１２、セーフ球検出装置６１０等が備えられている。払い出し駆動ユニット６１１は球貸し要求や入賞の発生に伴って所定個数の賞球を払い出す回転体および回転体を駆動するモータが収納されている。払い出し回路基板６１２は入賞の権利に対応し、若しくは球貸し要求に対応する数の球を払い出すように機構基板６に備える払い出し駆動ユニット６１１を制御する。
【００６８】
図２４において、合成樹脂製機構基板６の前面枠体２への取付け構造について説明する。機構基板６のベース板６０には当該基板を前面枠体２に関係係脱可能に係着する係支部材６２０を一側上下の２箇所において装着する装着面６２１が形成され、他側上下には、止め部材６２２を弾性を利用して押し込みうる複数個の取付け用透孔６２３が設けられ、前記前面枠体２の背面には、一側上下に機構基板係支部材軸受け体２５６を設け、かつ他側の上下に機構基板止め部材用取付け孔２５７が設けられている。而して、機構基板６の一側枢支側の係支部材６２０を前面枠体２の係支部材軸受け体２５６に開閉自在に軸支し、機構基板６の開放側の取付け用透孔６２３を通じて止め部材６２２を弾性を利用して挿入し前面枠体２の止め部材用取付け孔２５７に脱着可能に係着されている。
【００６９】
以上の実施形態を示したが、この発明はこの形態に限定されるものではなく、この発明の要旨を逸脱しない範囲で、様々な形態を実施しうるものである。
【００７０】
【発明の効果】
本発明の請求項１に記載のパチンコ機によると、前面枠体の下方であって前記上皿取付け用第一前板の裏面側に設けられた板状部に、前面枠体と上皿取付け用第一前板の間に落ち込んだ遊技球が嵌まり込むのを防止することができる。また、前面枠体が開放状態の時前面枠体下部に球が溜まらない。
【図面の簡単な説明】
【図１】この発明のパチンコ機の正面図である。
【図２】同縦断面図である。
【図３】側枠に備えた前面枠体の前面側の斜視図である。
【図４】前面枠体の背面側の斜視図である。
【図５】側枠に前面枠体を装着した状態の背面側斜視図である。
【図６】前面枠体の正面図である。
【図７】同背面図である。
【図８】ホルダー等器具を取外した正面図である。
【図９】ホルダー等器具を取外した背面図である。
【図１０】図６のＡ−Ａ線断面図である。
【図１１】ホルダーを分離して示すＡ−Ａ線断面図である。
【図１２】ホルダーと表示体を示す断面図である。
【図１３】図６のＢ−Ｂ線断面図である。
【図１４】図６のＣ−Ｃ線断面図である。
【図１５】図６のＤ−Ｄ線断面図である。
【図１６】遊技盤の斜視図である。
【図１７】同背面図である。
【図１８】前面枠体に遊技盤を装着した状態の背面図である。
【図１９】前面板の正面図である。
【図２０】同背面図である。
【図２１】ガラス板収容枠の斜視図である。
【図２２】ガラス板収容枠を前面板の背面に取付けた状態の斜視図である。
【図２３】ガラス板収容枠の背面図である。
【図２４】前面枠体に機構基板を取付けた状態の背面図である。
【図２５】機構基板の正面図である。
【図２６】同平面図である。
【図２７】同側面図である。
【符号の説明】
１…側枠、２…前面枠体、３…前面板、４…ガラス板収容枠、５…遊技盤、６…機構基板、７…第一前板、１０…第二前板、２０…主枠体、２１…開口、２２…遊技盤面部分隠蔽部、２３…表示体収容部、２４…表示体収容部、２５…板状部、２６…球誘導レールカバー体、８０…表示体、８１…表示体発光部ホルダー、５０…球誘導レール、５１…遊技領域、５１ａ…非遊技面、２２０遊技盤収容面、２３２…発射レールユニット、２３４賞球ユニット収容部、２４０…鍵装置、２３５…球嵌まり防止板、２３５ａ…球嵌まり防止縁。
【図１】
0003806073.tif 000002
【図２】
0003806073.tif 000003
【図３】
0003806073.tif 000004
【図４】
0003806073.tif 000005
【図５】
0003806073.tif 000006
【図６】
0003806073.tif 000007
【図７】
0003806073.tif 000008
【図８】
0003806073.tif 000009
【図９】
0003806073.tif 000010
【図１０】
0003806073.tif 000011
【図１１】
0003806073.tif 000012
【図１２】
0003806073.tif 000013
【図１３】
0003806073.tif 000014
【図１４】
0003806073.tif 000015
【図１５】
0003806073.tif 000016
【図１６】
0003806073.tif 000017
【図１７】
0003806073.tif 000018
【図１８】
0003806073.tif 000019
【図１９】
0003806073.tif 000020
【図２０】
0003806073.tif 000021
【図２１】
0003806073.tif 000022
【図２２】
0003806073.tif 000023
【図２３】
0003806073.tif 000024
【図２４】
0003806073.tif 000025
【図２５】
0003806073.tif 000026
【図２６】
0003806073.tif 000027
【図２７】
0003806073.tif 000028